(57)【要約】【課題】            クロスバーを用い、四本の支柱によって長方形を形成するテントの骨組構造にあって、天幕を張設するための二つの支持部材の強度を安定させ、かつ、折畳み作業も面倒なく実行することができるというものは存在していなかったという点である。【解決手段】        長方形の各隅に配置される四本の支柱と、その各支柱の頂部に取り付けられる頂部ジョイントと、その頂部ジョイントと所定の間隔を隔てて支柱に取り付けられる支持ジョイントとを有し、前記頂部ジョイント間に設けられ、中間に枢動ジョイントを介して下向きに屈曲されるクロスバーと、前記支持ジョイント間に設けられ、中間に枢動ジョイントを介して上向きに屈曲されるクロスバーと、その上向きに屈曲されるクロスバーの枢動ジョイントと連結される前記各支柱で形成される内部位置にあって天幕を支持する支持部材を二箇所に有するテントの骨組構造において、前記支持部材間を強靭で、フレキシブルなワイヤー、ロープまたはベルトで連結してあることとする。【選択図】          図１
2015200126.tif 000002
【特許請求の範囲】
【請求項１】
長方形の各隅に配置される四本の支柱と、その各支柱の頂部に取り付けられる頂部ジョイントと、その頂部ジョイントと所定の間隔を隔てて支柱に取り付けられる支持ジョイントとを有し、前記頂部ジョイント間に設けられ、中間に枢動ジョイントを介して下向きに屈曲されるクロスバーと、前記支持ジョイント間に設けられ、中間に枢動ジョイントを介して上向きに屈曲されるクロスバーと、その上向きに屈曲されるクロスバーの枢動ジョイントと連結される前記各支柱で形成される内部位置にあって天幕を支持する支持部材を二箇所に有するテントの骨組構造において、前記支持部材間を強靭で、フレキシブルなワイヤー、ロープまたはベルトで連結してあることを特徴とするテントの骨組構造。
【請求項２】
前記した、長方形を形成する短手側の二本の支柱の頂面と、その短手側に近い支持部材の頂点の下部には支持桿が各々架設されていることを特徴とする請求項１に記載のテントの骨組構造。
【発明の詳細な説明】
【技術分野】
【０００１】
本発明はテントの骨組構造に関し、特に四本の支柱を有し、その隣接する支柱間をシザーズ状に可動するクロスバーによって連接し、そのクロスバーを伸ばすことで骨組を拡開し、縮めることで収納、運搬状態とすることのできる簡易操作のテントの骨組構造に関する。
【背景技術】
【０００２】
従来、上記したように、通常四角形状の各隅部に立設される支柱と、その支柱間を連接し、中間部分に枢動ジョイントを介してシザーズ状に可動するクロスバーを有し、各支柱間の中央位置に天幕の支持部材を設けた構造の簡易操作のテントの骨組構造は知られている。
【０００３】
かかる骨組構造は、組立性や収納性に優れているものの、一方では横風等に対する強度が弱く、また、天幕の張力にも問題があったところであり、特にクロスバーの各支柱の上方寄りにある支持ジョイント間を連接するバーは、その中間の枢動ジョイント部分が支柱の頂部位置と並ぶ構成となるため、張設される天幕の庇部分は支柱の頂部及び、このクロスバーの上方に位置した枢動ジョイントを結ぶラインとなり、直線でなく、ポイント支持となってしまう。
【０００４】
そのため、天幕の張力は弱くなって、溜り水を生じ、これに起因する漏水も解消できなかった。加えて、支柱間を連接するクロスバー部分の強度を増すことが十分にできなかった。
【０００５】
かかる点を解消するため、本件出願人は特許文献として示す２件の特許出願をしている。しかし、この特許文献に示される技術にあっては支持部材間を連結することはしておらず、全体を長方形として２本の支持部材を設けた構成の場合、この支持部材の支持（支承）は近くにある二本の支柱からの支持桿によるものとなり、不安定なものとなってしまう。
【０００６】
そして、この２本の支持部材間を硬質なフレーム（桿）で連結支持すると、テントを折畳むことができなくなり、また、そのフレームを着脱自在としても組立て及び折畳みが非常に面倒な作業となってしまう。
【先行技術文献】
【特許文献】
【０００７】
【特許文献１】特開２０１３−２４５４４１号公報
【特許文献２】特開２０１３−２４５４９４号公報
【発明の概要】
【発明が解決しようとする課題】
【０００８】
本発明が解決しようとする問題点は、従来のクロスバーを用い、四本の支柱によって長方形を形成するテントの骨組構造にあって、天幕を張設するための二つの支持部材の強度を安定させ、かつ、折畳み作業も面倒なく実行することができるというものは存在していなかったという点である。
【課題を解決するための手段】
【０００９】
上記した問題点を解決するために、本発明に係るテントの骨組構造は、長方形の各隅に配置される四本の支柱と、その各支柱の頂部に取り付けられる頂部ジョイントと、その頂部ジョイントと所定の間隔を隔てて支柱に取り付けられる支持ジョイントとを有し、前記頂部ジョイント間に設けられ、中間に枢動ジョイントを介して下向きに屈曲されるクロスバーと、前記支持ジョイント間に設けられ、中間に枢動ジョイントを介して上向きに屈曲されるクロスバーと、その上向きに屈曲されるクロスバーの枢動ジョイントと連結される前記各支柱で形成される内部位置にあって天幕を支持する支持部材を二箇所に有するテントの骨組構造において、前記支持部材間を強靭で、フレキシブルなワイヤー、ロープまたはベルトで連結してあることを特徴としている。
【００１０】
また、本発明に係るテントの骨組構造は、前記した、長方形を形成する短手側の二本の支柱の頂面と、その短手側に近い支持部材の頂点の下部には支持桿が各々架設されていることを特徴としている。
【発明の効果】
【００１１】
本発明に係るテントの骨組構造は、上記のように構成されている。そのため、二箇所に存在する天幕を支持する支持部材間をフレキシブルなワイヤー、ロープ、ベルトで連結することで骨組構造に引張り強度が与えられて、安定し、また、ワイヤー、ロープ、ベルトがフレキシブルなため折畳みや作業に支障をきたすこともないものとなっている。
【図面の簡単な説明】
【００１２】
【図１】本発明を実施したテントの骨組構造を示す斜視図である。
【発明を実施するための形態】
【００１３】
図面として示し、実施例で説明したように構成したことで実現した。
【実施例１】
【００１４】
次に、本発明の好ましい実施の一例を図面を参照して説明する。図中１、１ａ、１ｂ、１ｃは支柱を示しており、この各支柱１〜１ｃは全体として長方形を形成する各コーナーに立設されるもので、各支柱１〜１ｃはアンカーを有している。
【００１５】
前記した各支柱１〜１ｃの頂部には頂部ジョイント２、２ａ、２ｂ、２ｃが取り付けられており、この頂部ジョイント２〜２ｃから所定の間隔をおいて、支持ジョイント３、３ａ、３ｂ、３ｃが取り付けられている。長方形を形成する支柱１〜１ｃの配置で、短手方向となる支柱１と１ａ及び１ｂと１ｃの間には中間に枢動ジョイント４、４ａを介して折畳み時に下方へその枢動ジョイント４、４ａを下降させるクロスバー５、５ａが設けられ、また、支持ジョイント３、３ａ及び３ｂ、３ｃの間には枢動ジョイント６、６ａを介して、折畳み時に、その枢動ジョイント６、６ａを上方へ上昇させるクロスバー７、７ａが設けられ、組立時に、この枢動ジョイント６、６ａの位置は頂部ジョイント２、２ａ及び２ｂ、２ｃを結ぶ直線状になる。
【００１６】
また、長方形の長手方向となる支柱１ａ、１ｂ間、１と１ｃ間には前記したクロスバーの構造が二組連結して組み付けられており、支持ジョイント３ａ、３ｂ間、３、３ｃ間における上昇する枢動ジョイントの位置が組立時に各支柱１〜１ｃの頂部と直線状となることは同様である。
【００１７】
前記した支持ジョイント３〜３ｃは折畳み時には各支柱１〜１ｃに沿ってスライド下降して連結されているクロスバーの折畳みを可能としている。
【００１８】
前記したように上昇する枢動ジョイント６、６ａ‥から長方形内で、各支柱１〜１ｃとを結んだ連結桿８、８ａ及び長手方向となる支柱１ａ、１ｂ間、１、１ｃ間における上昇する枢動ジョイントから連結桿８ｂ、８ｃ、８ｄ、８ｅを設け、その連結点ａ、ｂに天幕に張りを与える２本の天幕支持柱ｃ、ｄの下端を連結する。
【００１９】
支柱１〜１ｃで形成される長方形内に２本の天幕支持柱ｃ、ｄが設けられる構成となり、このうち、天幕支持柱ｃに対しては支柱１、１ａの頂面から、この天幕支持柱ｃの頂面下部に対角線桿９、９ａが連結され、天幕支持柱ｄに対しては支柱１ｂ、１ｃの頂面から、この天幕支持柱ｄの頂面下部に対角線桿９ｂ、９ｃが連結されている。
【００２０】
この状態では各天幕支持柱ｃ、ｄは各々２本の対角線桿９、９ａ及び９ｂ、９ｃによるのみの支持（支承）となり、強度がなく不安定なものとなってしまう。そこで、本実施例ではこの天幕支持柱ｃ、ｄ間、特に頂面間をフレキシブルで屈曲し易いワイヤー１０で連結してある。そのため、骨組構造を組み立てた時（開いた時）に天幕支持柱ｃ、ｄ間に適度な引張り強度が発生して骨組を安定させることができ、また、ワイヤー１０がフレキシブルで屈曲し易いため、折畳む作業も支障なく実行することができる。
【産業上の利用可能性】
【００２１】
本実施例に係るテントの骨組構造は上記のように構成されている。本実施例では天幕支持柱ｃ、ｄ間を連結する部材としてワイヤーを想定しているが、これはフレキシブルで屈曲し易いものであり、強靭性を有すればロープ、ベルトその他皮革等でも使用することができる。
【符号の説明】
【００２２】
１、１ａ、１ｂ、１ｃ    支柱
２、２ａ、２ｂ、２ｃ    頂部ジョイント
３、３ａ、３ｂ、３ｃ    支持ジョイント
４、４ａ    枢動ジョイント
５、５ａ    クロスバー
６、６ａ、６ｂ、６ｃ、６ｄ、６ｅ    枢動ジョイント
７、７ａ    クロスバー
８、８ａ、８ｂ、８ｃ、８ｄ、８ｅ    連結桿
９、９ａ、９ｂ、９ｃ    対角線桿
１０    ワイヤー
ａ、ｂ    連結点
ｃ、ｄ    天幕支持柱
【図１】
2015200126.tif 000003